(57)【要約】【課題】従来のＲＳＳＩを拡張して、複数の無線通信回線を同時に利用する場合も含むようにした仮想ＲＳＳＩなる概念を導入し、携帯端末に適用する。【解決手段】ネットワークに接続された基地局とそれに接続する無線システムが複数あり、ｋ番目の無線システムの基地局間の通信容量限界Ｃｋについて、利用可能周波数帯域幅をＢｋ、伝送路の信号対雑音電力比をＳＮＲｋ、とし、上記無線システムと対応した単一の無線インタフェースが供する通信資源を複数の仮想ネットワークで共有する場合に、Ｐｊを確率パラメータ、ＲＴｊをＣｋの時間占有比、ＲＦｊを周波数占有比として、仮想ＲＳＳＩ値Ｃｊを、ＰｊＲＦｊＲＴｊＢｋと（１＋ＳＮＲｋ）の対数との積のｋの１からＭまでの総和を表示するもので、無線システムのアプリケーションと関連付けて、仮想ＲＳＳＩ値またはその変換した指標を表示することで、携帯端末の利用者への便宜を図る。【選択図】図２
2014072688.tif 000002
【特許請求の範囲】
【請求項１】
単数あるいは複数のそれぞれの基地局があり、該基地局の少なくとも１つを含む無線システムの各々がネットワークに接続され、
上記単数あるいは複数の基地局に同時に無線接続でき単数あるいは複数の無線送受信機能を有する携帯端末について、ｋ番目（ただし、ｋ＝１，２，…，Ｍ）の無線システムＨ＃ｋにおける上記基地局-携帯端末間の無線アクセス区間の通信容量限界Ｃｋについて、利用可能周波数帯域幅をＢｋ、伝送路の信号対雑音電力比をＳＮＲｋ、とし、上記無線システムＨ＃ｋと対応した単一の無線インタフェースＦ＃ｋが供する通信資源Ｙ＃ｋを複数の仮想ネットワークＷ＃ｊ（ただし、ｊ＝１，２，…，Ｎ）で共有するモバイルネットワークにおいて、
Ｐｊ（但しＰｊ≦１）を仮想ネットワークＷ＃ｊの優先度に応じて制御可能な疎通率パラメータとし、
ＲＴkｊを、上記通信容量限界Ｃｋを異なる仮想ネットワーク間で時分割利用する際の仮想ネットワークＷ＃ｊの時間占有比とし、
ＲＦkｊを、上記周波数帯域幅Ｂｋを異なる仮想ネットワーク間で周波数分割利用する際の仮想ネットワークＷ＃ｊの周波数占有比として、
無線インタフェースＦ＃ｋごとの部分仮想ＲＳＳＩ値ＶＣｋｊを、次式、
【数１】
2014072688.tif 000009
から求める手段を備え、
上記携帯端末が利用するアプリケーションないしはサービスと関連付けて上記部分仮想ＲＳＳＩ値ＶＣｋｊあるいはそれから変換した指標を表示するものであることを特徴とする仮想受信信号強度指標表示機能を有する携帯端末。
【請求項２】
上記時間占有比ＲＴkｊあるいは周波数占有比ＲＦkｊについて、
【数２】
2014072688.tif 000010
を満たすものであることを特徴とする請求項１に記載の仮想受信信号強度指標表示機能を有する携帯端末。
【請求項３】
上記部分仮想ＲＳＳＩ値ＶＣｋｊを長さあるいは角度に変換し、上記無線システムにおけるアプリケーションのアイコンに隣接した領域に、ｋについて並べて表示し、その全体の並びの面積として仮想ＲＳＳＩ値を表示することを特徴とする請求項１あるいは２のいずれかに記載の仮想受信信号強度指標表示機能を有する携帯端末。
【請求項４】
仮想ＲＳＳＩ値ＶＣｊを、次式、
【数３】
2014072688.tif 000011
から求める手段を備え、
上記携帯端末が利用するアプリケーションないしはサービスと関連付けて上記仮想ＲＳＳＩ値ＶＣｊあるいはそれから変換した指標を表示するものであることを特徴とする請求項１あるいは２のいずれかに記載の仮想受信信号強度指標表示機能を有する携帯端末。
【請求項５】
上記ネットワークに接続され、上記時間占有比あるいは上記周波数占有比を制御するネットワーク制御サーバーを備え、該ネットワーク制御サーバーは、トラフィックを監視し、周波数占有比ＲＦkｊ、時間占有比ＲＴkｊ、および確率パラメータＰｊの少なくとも１つを帰還し、上記ネットワークにおけるトラフィック制御を行うものであって、
上記ネットワーク制御サーバーからの周波数占有比ＲＦkｊ、時間占有比ＲＴkｊ、および確率パラメータＰｊを用いて、上記仮想ＲＳＳＩ値あるいはそれから変換した指標を求めて表示することを特徴とする請求項１、２あるいは４のいずれか１つに記載の仮想受信信号強度指標表示機能を有する携帯端末。
【請求項６】
携帯端末の移動に伴って、該携帯端末が通信する基地局を切換えるハンドオーバの際に、（１）上記携帯端末側で新たに接続する基地局を選択し、（２）この基地局を上記ネットワーク制御サーバーに通知することによって、（３）上記ネットワーク制御サーバーから、上記周波数占有比ＲＦkｊ、時間占有比ＲＴkｊ、および確率パラメータＰｊを含む情報を上記携帯端末に伝送し、（４）上記携帯端末は、これらの情報を受信し、これらの値を用いて、新たな仮想ＲＳＳＩ値を求め、その表示画面上の、上記アプリケーションに隣接した領域に、求めたＲＳＳＩ値あるいは、より簡易な表示になるようにそれを変換した指標を表示するものであることを特徴とする請求項１、２、４、あるいは５のいずれか１つに記載の仮想受信信号強度指標表示機能を有する携帯端末。
【請求項７】
上記利用可能周波数帯域幅には予め決められた設計上の値を用い、
上記信号対雑音電力比を得るための、（１）信号強度については、受信信号の強度かあるいはデジタル信号の復調の際の信号空間ダイヤグラムにおけるパイロット信号の位置から得るものであり、（２）雑音電力については、伝送路における干渉と無線インタフェースについて予め測定した値、無信号時の無線インタフェースの出力から得た値、あるいはデジタル信号の復調の際の信号空間ダイヤグラムにおけるパイロット信号点位置またはいずれかの信号点位置の変動分布から求めるものである、ことを特徴とする請求項１から６のいずれか１つに記載の仮想受信信号強度指標表示機能を有する携帯端末。
【請求項８】
アプリケーションが送受信するデータトラフィック量を計測する計測手段を備え、上記計測手段にアプリケーション毎のデータトラフィック量についての計測結果と上記仮想ＲＳＳＩ値の比を算出することで、通信資源の利用効率を算出し、
該利用効率が所定の閾値を下回った場合あるいは上回った場合には、上記周波数占有比ＲＦｊ、時間占有比ＲＴｊ、および確率パラメータＰｊの少なくとも１つをそれぞれ減少させるあるいは増加させる帰還手段をもつことを特徴とする請求項１から７にいずれか１つに記載の仮想受信信号強度指標表示機能を有する携帯端末。
【発明の詳細な説明】
【技術分野】
【０００１】
本発明は、基地局と無線端末とを結ぶ無線通信回線を通した通信において最大通信速度などを含む通信品質の指標として用いられるＲＳＳＩ（Received Signal Strength Indicator；受信信号強度指標）を拡張して、複数の無線通信回線を束ねて１つの回線として用いる場合をも取扱えるようにした仮想ＲＳＳＩ（仮想受信信号強度指標）に関するものであり、とくに仮想ＲＳＳＩ表示機能を有する携帯端末に関している。
【背景技術】
【０００２】
現在、通常のデジタル化された携帯電話システムでは、１つの基地局に複数の携帯端末が多元接続され、そのうちの１つの携帯端末が移動する場合、その移動に伴って、その携帯端末の接続する基地局は、隣接する基地局に順次受け渡されていく。
【０００３】
また、１つの携帯端末と基地局との接続は、契約者無線回線を通じて行われるが、その基地局は携帯電話事業者ごとのネットワークに接続され、上記契約者無線回線は携帯電話事業者毎に異なっている。また、同一の携帯電話事業者に属する契約者無線回線について複数種類がある場合があり、その種類ごとに多元接続方式も異なる場合がある。また、通常は、１台の携帯端末では、ハードウェア構成の切換えなしに、他の多元接続方式への受け渡し（つまり、ハンドオーバ）が困難であり、特に異なる携帯電話事業者に属する複数の基地局への受け渡しは特に困難である。
【０００４】
また、このような携帯端末で通信品質を表示する指標として、基地局からの電波を携帯端末が受信する際に、その携帯端末位置での電界強度あるいはその電力密度に比例する値が用いられる。これは、例えば、基地局からの制御信号を定期的に受信し、その受信信号強度を計測するもので、この強度は、例えばアンテナの本数などに変換して画面に表示される。このような指標は、ＲＳＳＩとして知られており、一般に、契約者無線回線との各無線インタフェースとなる送受信ユニット毎に評価することができる。この測定に関しては、特許文献１（特開平０２−２４４９３９号公報）や特許文献２（特表２００７−５２０１４７号公報）の方法を適用することができる。また、一般に、携帯端末が要求された機能を発揮するためには、通信速度がある閾値以上である必要がある。上記の指標は、この閾値を満たしていることをその使用者が確認するために用いられている。
【０００５】
一般に、このような携帯端末での通信速度には、伝送線で発生する干渉電力、送受信ユニットの雑音指数、及び割り当てられたバンド幅によって決まる上限がある。このため、その通信速度の上限を超えるような高速通信が求められる場合には、複数の契約者無線回線を束ねたり、あるいは例えば他のより高速な契約者無線回線に切り替えたりすることで、高速な無線回線を適用することができる。
【０００６】
本発明は、上記前者の、複数の回線を束ねて用いる場合にも上記ＲＳＳＩと同様の機能を提供し、従来のＲＳＳＩ値を拡張した仮想ＲＳＳＩ値を上記携帯端末の使用者に提示することによって、その使用者が、より有利な無線接続を選択できるようにするものである。本発明の想定する上記複数の回線とは、同一事業者で多元接続方式の回線に限らず、他事業者で前記と異なる通信方式の回線、あるいは、緊急時に特別に設けられた回線などでもある。また、基地局と携帯端末とは、直接交信可能である場合の他に、基地局と携帯端末とは、無線ネットワークを介して接続されていてもよい。
【０００７】
また、本発明では、構成される仮想ネットワーク毎に仮想ＲＳＳＩ値を定義する。送信ユニットと受信ユニットとの対、または送受信ユニットを備える無線システムについて、従来のＲＳＳＩ値が単純に対象とする無線システムの受信強度であるのに対して、仮想ＲＳＳＩ値を、構成された仮想ネットワーク毎の受信における信号対雑音電力比から得られる通信可能容量の最大値として、シャノン限界より導いたものとする。これによって、ユーザが体感できるサービスに対する接続性として、より直接的な指標となるようにするものである。
【先行技術文献】
【特許文献】
【０００８】
【特許文献１】特開平０２−２４４９３９号公報
【特許文献２】特表２００７−５２０１４７号公報
【発明の概要】
【発明が解決しようとする課題】
【０００９】
従来のＲＳＳＩを拡張して、複数の無線通信回線を束ねて１つの回線として用いる場合をも取扱えるようにした仮想ＲＳＳＩなる概念を導入し、携帯端末に適用する。
【課題を解決するための手段】
【００１０】
本発明の仮想受信信号強度指標表示機能を有する携帯端末は、ネットワークに接続された単数あるいは複数の基地局とそれに無線接続することができる無線システムが複数あるモバイルネットワークで用いることを想定している。そのなかで、特に、単数あるいは複数のそれぞれの基地局があり、該基地局の少なくとも１つを含む無線システムの各々がネットワークに接続され、
上記単数あるいは複数の基地局に同時に無線接続でき単数あるいは複数の無線送受信機能を有する携帯端末について、ｋ番目（ただし、ｋ＝１，２，…，Ｍ）の無線システムＨ＃ｋにおける上記基地局−携帯端末間の無線アクセス区間の通信容量限界Ｃｋについて、利用可能周波数帯域幅をＢｋ、伝送路の信号対雑音電力比をＳＮＲｋ、とし、上記無線システムＨ＃ｋと対応した単一の無線インタフェースＦ＃ｋが供する通信資源Ｙ＃ｋを複数の仮想ネットワークＷ＃ｊ（ただし、ｊ＝１，２，…，Ｎ）で共有するモバイルネットワークにおいて、
Ｐｊ（但しＰｊ≦１）を仮想ネットワークＷ＃ｊの優先度に応じて制御可能な疎通率パラメータとし、
ＲＴkｊを、上記通信容量限界Ｃｋを異なる仮想ネットワーク間で時分割利用する際の仮想ネットワークＷ＃ｊの時間占有比とし、
ＲＦkｊを、上記周波数帯域幅Ｂｋを異なる仮想ネットワーク間で周波数分割利用する際の仮想ネットワークＷ＃ｊの周波数占有比として、
無線インタフェースＦ＃ｋごとの部分仮想ＲＳＳＩ値ＶＣｋｊを、次式、
【００１１】
【数１】
2014072688.tif 000003
【００１２】
から求める手段を備え、
上記携帯端末が利用するアプリケーションないしはサービスと関連付けて上記部分仮想ＲＳＳＩ値ＶＣｋｊあるいはそれから変換した指標を表示するものである。
【００１３】
上記時間占有比ＲＴｋｊあるいは周波数占有比ＲＦｋｊについて、次式を満たすものである、とすることができる。
【００１４】
【数２】
2014072688.tif 000004
【００１５】
また、上記部分仮想ＲＳＳＩ値ＶＣｋｊを長さあるいは角度に変換し、上記無線システムにおけるアプリケーションのアイコンに隣接した領域に、ｋについて並べて表示し、その全体の並びの面積として仮想ＲＳＳＩ値を表示してもよい。
【００１６】
仮想ＲＳＳＩ値ＶＣｊを、次式、
【００１７】
【数３】
2014072688.tif 000005
【００１８】
から求める手段を備え、
上記携帯端末が利用するアプリケーションないしはサービスと関連付けて上記仮想ＲＳＳＩ値ＶＣｊあるいはそれから変換した指標を表示するものである。
【００１９】
また、上記ネットワークに接続され、上記時間占有比あるいは上記周波数占有比を制御するネットワーク制御サーバーを備え、該ネットワーク制御サーバーは、トラフィックを監視し、周波数占有比ＲＦｋｊ、時間占有比ＲＴｋｊ、および確率パラメータＰｊの少なくとも１つを帰還し、上記ネットワークにおけるトラフィック制御を行うものであって、
上記ネットワーク制御サーバーからの周波数占有比ＲＦｋｊ、時間占有比ＲＴｋｊ、および確率パラメータＰｊを用いて、上記仮想ＲＳＳＩ値あるいはそれから変換した指標を求めて表示する。
【００２０】
上記携帯端末の移動に伴って、該携帯端末が通信する基地局を切換えるハンドオーバの際に、（１）上記携帯端末側で新たに接続する基地局を選択し、（２）この基地局を上記ネットワーク制御サーバーに通知することによって、（３）上記ネットワーク制御サーバーから、上記周波数占有比ＲＦｋｊ、時間占有比ＲＴｋｊ、および確率パラメータＰｊを含む情報を上記携帯端末に伝送し、（４）上記携帯端末は、これらの情報を受信し、これらの値を用いて、新たな仮想ＲＳＳＩ値を求め、その表示画面上の、上記アプリケーションに隣接した領域に、求めたＲＳＳＩ値あるいは、より簡易な表示になるようにそれを変換した指標を表示するものである。
【００２１】
上記利用可能周波数帯域幅には予め決められた設計上の値を用い、
上記信号対雑音電力比を得るための（１）信号強度については、受信信号の強度かあるいはデジタル信号の復調の際の信号空間ダイヤグラムにおけるパイロット信号の位置から得るものであり、（２）雑音電力については、伝送路における干渉と無線インタフェースについて予め測定した値、無信号時の無線インタフェースの出力から得た値、あるいはデジタル信号の復調の際の信号空間ダイヤグラムにおけるパイロット信号点位置またはいずれかの信号点位置の変動分布から求めるものである。
【００２２】
アプリケーションが送受信するデータトラフィック量を計測する計測手段を備え、上記計測手段にアプリケーション毎のデータトラフィック量についての計測結果と上記仮想RSSI値の比を算出することで、通信資源の利用効率を算出し、
該利用効率が所定の閾値を下回った場合あるいは上回った場合には、上記周波数占有比ＲＦｊ、時間占有比ＲＴｊ、および確率パラメータＰｊの少なくとも１つをそれぞれ減少させるあるいは増加させる帰還手段をもつことを特徴とする。
【発明の効果】
【００２３】
仮想ＲＳＳＩ値を上記携帯端末の使用者に提示することによって、その使用者が、より有利な無線接続を選択できるようになる。
【図面の簡単な説明】
【００２４】
【図１】本発明の基礎を説明するための図で、複数の無線システムＨ（個数Ｍ）に対応した基地局＃１〜基地局＃Ｍとそれに無線接続することにできる無線携帯端末が複数あることを示す図である。
【図２】本発明の基礎となる構成例を示す図で、無線システム＃ｋと対応した単一の無線インタフェースＦ＃ｋが供する通信資源を複数の仮想ネットワークＷ＃ｊ（J=1,2,3,4,…,N)で共有する場合、つまり、上記のＭ個の無線インタフェースによって供される通信資源をＮ個の仮想ネットワークで共有する場合のネットワーク構成を示す図である。
【図３】本発明を適用できる無線通信を実現するための、無線システムの構成例を示す図である。
【図４】仮想ＲＳＳＩ値を無線携帯端末におけるアプリケーションと関連付けて表示することを示す図である。
【図５】（ａ）は、アプリケーションの画面において、各サービスないしはアプリケーション毎に、上述した仮想ＲＳＳＩ値ＶＣｊに基づいた指標を対応付けて併せて表示することを示す。（ｂ）は、部分仮想ＲＳＳＩ値、つまり数５の各項でＰｊ×Ｃｋｊの値、あるいはそれに比例した値を、例えば円グラフ上に累積することによって、数５における総和の計算を省くことができることを示す。（ｃ）は、上記部分仮想ＲＳＳＩ値つまりＰｊ×Ｃｋｊの値あるいはそれに比例した値について、レーダーチャート上に示す。
【図６】図６の基地局の無線インタフェースは、複数のサテライト局Ｓにその無線インタフェースを分散して設置したことを示す図である。
【発明を実施するための形態】
【００２５】
以下に、この発明の実施の形態を図面に基づいて詳細に説明する。以下の説明においては、同じ機能あるいは類似の機能をもった装置に、特別な理由がない場合には、同じ符号を用いるものとする。
【実施例１】
【００２６】
図１に示すように、複数の無線システムＨ（個数Ｍ）に対応した基地局＃１〜基地局＃Ｍとそれに無線接続することにできる無線携帯端末が複数あるものとする。基地局＃１〜基地局＃Ｍは、ネットワーク２−１〜ネットワーク２−Ｍに接続され、各無線携帯端末は、少なくとも上記基地局のいずれかと無線接続されている。任意の無線システムＨ＃ｋ（ただし、ｋ＝１，２，３，…，Ｍ）が提供できる通信容量に着目すると、この携帯端末３−ｋと基地局＃ｋ間の無線アクセス区間の通信容量限界Ｃｋは、利用可能周波数帯域幅Ｂｋおよび伝送路の信号対雑音電力比をＳＮＲｋとして、シャノン・ハートレーの定理から次式で与えられることが知られている。
【００２７】
【数４】
2014072688.tif 000006
【００２８】
ここで利用可能周波数帯域幅Ｂｋは予め無線システム毎に決められた設計上の値であり、信号対雑音電力比ＳＮＲｋは、使用する無線インタフェースから得られる値である。信号強度については、例えば、受信信号のスペクトル強度や復調後のデジタル信号のシグナルコンスタレーションの位置などから得ることができる。また、雑音電力については、無線インタフェースについて予め測定した値を用いることが最も簡便であるが、受信信号について無信号時の無線インタフェースの出力から得ることや、デジタル信号の復調の際の信号空間ダイヤグラムにおけるパイロット信号点位置またはいずれかの信号点位置の変動分布から求めることができる。
【００２９】
さらに、図２に示す様に、図１に示す無線システムＨ＃ｋ（ただし、ｋ＝１，２，…，Ｍ）が提供する通信資源のそれぞれＹ＃ｋを複数の仮想ネットワークＷ＃ｊ（ただし、ｊ＝１，２，…，Ｎ）で共有すると仮定する。つまり、例えば、上記の基地局群にＮ種類の異なるサービスやアプリケーションを実行する無線形態端末が多元接続されたネットワークを考える。この多元接続では、各々の通信資源Ｙ＃ｋが供する通信容量限界Ｃｋを、例えば時間占有比（ＲＴｋ１：ＲＴｋ２：ＲＴｋ３：…：ＲＴＮ）で分割利用する、あるいは、例えば周波数帯域幅Ｂｋを占有比（ＲＦｋ１：ＲＦｋ２：ＲＦｋ３：…：ＲＦｋＮ）で分割利用することになる。但し、ＲＴｋ１＋ＲＴｋ２＋ＲＴｋ３＋…＋ＲＴｋＮ＝１、ＲＦｋ１＋ＲＦｋ２＋ＲＦｋ３＋…＋ＲＦｋＮ＝１である。何らかの理由で利用できない接続部分については、そのＲＴｋｊあるいはＲＦｋｊをゼロとすることによって、見通しを良くすることができる。
【００３０】
この時、仮想ネットワークＷ＃ｊに通信資源Ｙ＃ｋが提供する通信容量限界Ｃｋｊは以下で表される。
【００３１】
【数５】
2014072688.tif 000007
【００３２】
本発明で想定する仮想ネットワークは、図２に示す様に、それぞれの携帯端末は、複数の通信資源Ｙ＃ｋを同時活用することを想定する。この場合、仮想ネットワーク＃ｊの通信容量限界ＶＣｊは、従って本発明における仮想ＲＳＳＩ値は、より一般的な表現として上記Ｃｋｊを通信資源Ｙ＃ｋについて加算して、次式で表現できる。なお次式を展開した場合の和の各項を、部分仮想ＲＳＳＩ値と称する。
【００３３】
【数６】
2014072688.tif 000008
【００３４】
ここで、Ｐｊ（但しＰｊ≦１）は仮想ネットワークＷ＃ｊに対応したネットワークの疎通率パラメータであり、複数構成された仮想ネットワーク毎に異なるモバイル端末からのアクセス収容に関わる優先制御が導入される可能性があるとして、これが通信容量に与える影響を考慮するためのものである。
【００３５】
但し、数５では、周波数領域で無線資源を分割して仮想ネットワークに資源割り当てを行う際の各周波数要素におけるＳＮＲは、同一無線システム内では等しいとしている。異なる場合には、分割利用された周波数ごとに異なるＳＮＲｋｊを用いればよい。
【００３６】
図３は、この様な無線通信を実現するための、無線システムの構成例を示す。この構成では、無線送受信ユニットが並列した物理無線送受信部１０と、物理無線送受信部１０からの信号を受けとり、適切に送受信データを分割・統合して論理的に一つの送受信データを形成する制御部１１と、これを仮想的に無線送受信部として終端する仮想無線送受信部１２と、仮想無線送受信部１２を介してアプリケーションとの送受信データの受け渡しを担うアプリケーションデータ送受信部１３と、仮想ＲＳＳＩ算出部１４から成っている。仮想ＲＳＳＩの算出に必要な、係数Ｂｋ、ＳＮＲｋ、ＲＦｋｊ、ＲＴｋｊ、およびＰｊは、制御部１１から仮想ＲＳＳＩ算出部１４に提供される。これらの係数は、必要に応じてネットワーク制御サーバー４から提供されたものである。アプリケーションデータ送受信部１３は、必要に応じて、仮想無線送受信部１２との間で受け渡しされるデジタル信号のデータトラフィック量を計測する。この計測値は、ネットワーク制御サーバー４に伝送される。ネットワーク制御サーバー４では、上記の計測値を監視し、周波数占有比ＲＦｋｊ、時間占有比ＲＴｋｊ、および確率パラメータＰｊを見直すための帰還信号として用いることで、上記ネットワークにおけるトラフィック制御を行う。
【００３７】
上述の仮想ＲＳＳＩ値は、図４に示し以下に説明するように、無線携帯端末におけるアプリケーションと関連付けて表示する。
【００３８】
ちなみに、現在普及している従来型携帯電話やスマートフォンなどの携帯端末では、ユーザに対してアクセスネットワークへの時々刻々変化する接続性を知らせる手法として、アンテナの本数などで表示更新されている。これは、無線インタフェース毎のＲＳＳＩ値あるいは単に受信信号の電界強度をユーザに分かりやすい形で表示するためのもので、例えば３〜５段階にレベル分けしアンテナの本数などに置き換えて表示するものである。
【００３９】
これに対して本発明は、ネットワーク仮想化の技術が無線端末まで広く普及する近い将来を想定したものであって、携帯端末は複数の無線インタフェースを備えたものである。また、ユーザが利用するモバイルサービスないしはアプリケーション毎に、利用する無線インタフェースと利用無線資源量が異なり、更には意図的な接続優先制御なども導入された結果、ネットワークへの接続性能がそれぞれ異なる場合が想定されている。
【００４０】
そこで、図４に示す様に、ユーザ端末の画面上に一覧として表示されるサービス、または図５（ａ）に示すアプリケーションの画面において、各サービスないしはアプリケーション毎に、上述した仮想ＲＳＳＩ値ＶＣｊに基づいた指標を対応付けて併せて表示する。
【００４１】
また、図５（ｂ）に示す様に、数５の各項、つまりＰｊ×Ｃｋｊの値あるいはそれに比例した値を、例えば円グラフ上に累積することによって、数５における総和の計算を省くことができる。
【００４２】
あるいは、図５（ｃ）に示す様に、数５の各項、つまりＰｊ×Ｃｋｊの値あるいはそれに比例した値について、レーダーチャート上に示すと、その軸上の微小変化による数５の総和の変化分は、その実線で囲まれた部分の面積の変化分にほぼ比例する。つまり、この面積の変化によって、上記の仮想ＲＳＳＩ値の変化を表示することができる。図５（ｃ）の点線は、例えば、基地局からの位置から見て理想的な場合の値を目標値としたものである。
【実施例２】
【００４３】
図６の基地局の無線インタフェースは、複数のサテライト局Ｓにその無線インタフェースを分散して設置したものである。基地局１と各サテライト局Ｓ間の接続は、有線でも無線でもよい。携帯端末３は、複数の無線インタフェースを搭載したものである。この場合も、上記数５によって仮想ＲＳＳＩ値を算出することができる。
【００４４】
また、これら複数の無線インタフェースをただ使い分けるのみでなく、同時利用することで、携帯端末の移動に伴い部分的にハンドオーバすることができるようになり、ハンドオーバの際には通信が完全に途切れる時間を無くすことができる。このためハンドオーバが容易になり、途切れづらい通信サービスの提供を実現できる。
【００４５】
上記のハンドオーバの際には、上記携帯端末側で、新たに接続する基地局を選択し、これを上記ネットワーク制御サーバーに通知することによって、そのネットワーク制御サーバーから、上記周波数占有比ＲＦｋｊ、時間占有比ＲＴｋｊ、および疎通率パラメータＰｊを含む情報を上記携帯端末に伝送する。上記携帯端末は、これらの情報を受信し、これらの値を用いて、新たな仮想ＲＳＳＩ値を求め、その表示画面上の、上記アプリケーションに隣接した領域に、求めたＲＳＳＩ値あるいは、より簡易な表示になるようにそれを変換した指標を表示する。
【符号の説明】
【００４６】
１  基地局
２  ネットワーク
３  携帯端末
４  ネットワーク制御サーバー
１０  物理層部
１１  制御部
１２  仮想無線部
１３  アプリケーションデータ送受信部
１４  仮想ＲＳＳＩ算出部
【図１】
2014072688.tif 000012
【図２】
2014072688.tif 000013
【図３】
2014072688.tif 000014
【図４】
2014072688.tif 000015
【図５】
2014072688.tif 000016
【図６】
2014072688.tif 000017